(57)【要約】　　　（修正有）【課題】器具本体あるいは蛍光ランプに外的な衝撃力が加わり、蛍光ランプの口金部が脱落した場合においても蛍光ランプが落下しない器具を提供する。【解決手段】水平に配置する器具本体を備える。前記器具本体の下面側に環状蛍光ランプ２０を着脱自在に保持する一対のランプホルダ１１・１２を固定する。口金部２３と前記各ランプホルダ１１・１２とをほぼ等間隔に配置する。前記器具本体・ランプソケット３３・各ランプホルダ１１・１２の形態を前記口金部２３が前記ランプソケット３３から外れて下降する過程で前記大環発光管２２の一部が前記器具本体の下面に接しそれによって前記環状蛍光ランプ２０のさらなる傾斜を阻止するように定める。【選択図】　　図１
2004127877.tif 000002
【特許請求の範囲】
【請求項１】
水平に配置する器具本体を備え、前記器具本体の下面側に水平に配置する環状蛍光ランプを備え、前記環状蛍光ランプは同心状に配置する大環発光管・小環発光管で一放電路を形成する二重環形の環状蛍光ランプであり、前記環状蛍光ランプに前記各発光管の環に沿った平面に対して直交する向きの各口金ピンを含む口金部を設け、前記器具本体の下面側に前記口金部と着脱自在に結合するランプソケットを固定し、前記器具本体の下面側に前記環状蛍光ランプを着脱自在に保持する一対のランプホルダを固定し、前記口金部と前記各ランプホルダとをほぼ等間隔に配置し、前記各ランプホルダは前記小環発光管を該環の内側から保持し前記大環発光管に触れない形態であり、前記器具本体・ランプソケット・各ランプホルダの形態を前記口金部が前記ランプソケットから外れて下降する過程で前記大環発光管の一部が前記器具本体の下面に接しそれによって前記環状蛍光ランプのさらなる傾斜を阻止するように定めたことを特徴とする環状蛍光灯器具。
【発明の詳細な説明】
【０００１】
【発明の属する技術分野】
本発明は、大環発光管及び小環発光管からなる二重環形蛍光ランプを備えた蛍光灯器具における、蛍光ランプ保持方法に関する。
【０００２】
【従来の技術】
従来の一重環で構成される環状蛍光ランプにおける蛍光ランプ保持方法は、例えば図６に示すように、環径の異なる２本の蛍光ランプをソケット部分及び、それに対向する対面に蛍光ランプの環径に合わせた位置一個所をそれぞれバネ性を有するランプホルダでランプ管を挟み込むように保持している。つまり、環状蛍光ランプ１本につき対向する二個所で保持する方法が一般的である。
【０００３】
【発明が解決しようとする課題】
上記従来技術は、環状蛍光ランプ１本につき対向する二個所を蛍光ランプ上面側から挟み込むような形でバネ性を有するランプホルダで保持しており、器具本体に物をぶつけたり、強い地震等の衝撃時、蛍光ランプ口金部がはずれた場合、もう一方のバネ性ランプホルダで保持しているのが難しく、蛍光ランプが落下することに対して配慮が不足しており、最悪の場合蛍光ランプがはずれ落下する可能性もある。
本発明は、照明器具本体あるいは蛍光ランプに外的な衝撃力が加わり、蛍光ランプの口金部が脱落した場合においても蛍光ランプが落下しないことを目的としている。
【０００４】
【課題を解決するための手段】
上記目的を達成するために、二重環形環状蛍光ランプの口金部に対し約１２０度間隔に配置した、環状蛍光ランプを着脱自在に保持する一対のバネ性を有するランプホルダを器具本体に固定し、各ランプホルダは二重環形環状蛍光ランプの小環発光管を該環の内側から保持し、大損発光管に触れない形態とし器具本体、ランプソッケト、各ランプホルダの形態を、口金部が前記ランプソケットから外れて下降する過程で前記大環発光管の一部が前記器具本体の下面に接し、それによって前記環状蛍光ランプのさらなる傾斜を阻止するようにしたものである。
【０００５】
【発明の実施の形態】
本発明の実施形態を図１から図５により説明する。図１は吊下げ形環状蛍光灯器具の本体部分を表わし、本発明による環状蛍光ランプ２０がランプソケット３３から脱落した後、環状蛍光ランプ２０のさらなる傾斜を阻止した状態を示したものである。
図１において、本体３１と反射板３２により構成された本体部分に、本体内面から接続されたランプソケット３３と口金ホルダー３５及びソケットカバー３４で構成するソケット部分を取付け、さらに、このソケット部分に対し図３に示すように、水平面上で約１２０度間隔に配置されたランプホルダ１１、１２を取付け、該本体３１の上面側をコード４１及びコードケース４２により吊下げて、吊下げ形環状蛍光灯器具の本体部分を構成している。
また、蛍光ランプは大環発光管２２と小環発光管２１で一放電路を形成する二重環形の環状蛍光ランプ２０に各発光管の環に沿った平面に対して直交する向きの口金部２３を設け、前記器具本体のランプソケット３３と着脱自在に結合するとともに、ランプホルダ１１及び１２により、図２に示すように着脱自在に保持されるのである。
ここで、図１及び図５に示すように、器具に外部からの強い衝撃力や、強い地震等によりランプの口金部２３がランプソケット３３及び口金ホルダ３５から脱落した場合、図６のような従来例のランプ保持方法の場合は、環状蛍光ランプ２４、２５はそれぞれ鉛直方向まで傾斜し、環状蛍光ランプ２４、２５がランプホルダ６３、６４から脱落し落下する可能性があつた。
本発明では、図４に示すようにランプホルダ１１及び１２は環状蛍光ランプ２０の小環発光管２１にのみ引掛けるようにしており、ランプの口金部２３が、ランプソケット３３から脱落した場合ランプホルダ１１及び１２で保持された小環発光管２１を軸として口金部２３が鉛直方向に下降し、環状蛍光ランプ２０は傾斜をはじめる。
この時図３及び図５に示すように約１２０度間隔に配置されたランプホルダ１１、１２を結ぶランプ傾斜の回転軸線と、大環発光管２２が反射板３２に当る位置との距離Ｌが確保されており、環状蛍光ランプ２０は図５で示す位置で傾斜を阻止され、ランプの不安定な動きを防止するものである。
本実施例によれば、外部からの強い衝撃力が加わった場合、環状蛍光ランプ２０の口金部２３がランプソケット３３から脱落しても、ランプは一定の傾斜で保持されランプ落下等の危険な状態が発生する可能性がなくなり、非常時においても安全な照明器具を提供できる。
【０００６】
【発明の効果】
本発明によれば、外部からの強い衝撃力が加わった場合、環状蛍光ランプの口金部がランプソケットから脱落しても、ランプは一定の傾斜で保持されランプ落下等の危険な状態が発生する可能性がなくなり、非常時においても安全な照明器具を提供できる。
【図面の簡単な説明】
【図１】本発明の吊下げ形環状蛍光灯器具の本体部分を表わす斜視図で、ランプ口金がソケットから脱落した状態を表わす。
【図２】図１の本体部分の側面図でランプが正常に装着された状態を表わす。
【図３】図２の本体部分の下面図である。
【図４】図３の本体部分のＡ−Ａの一部断面を表わす側面図である。
【図５】図１の本体部分の側面図である。
【図６】従来の一重環の環状蛍光ランプを使用した器具のランプ保持方法を表わす本体部分の側面図である。
【符号の説明】
１１、１２…ランプホルダ、２０…環状蛍光ランプ、２１…小環発光管、２２…大環発光管、２３…口金部、３１…本体、３２…反射板、３３…ランプソケット、３４…ソケットカバー、３５…□金木ルダ、４１…コード、４２…コードケース
【図１】
2004127877.tif 000003
【図２】
2004127877.tif 000004
【図３】
2004127877.tif 000005
【図４】
2004127877.tif 000006
【図５】
2004127877.tif 000007
【図６】
2004127877.tif 000008